(57)【要約】【課題】  ガマットマッピングにおいて異なる色再現範囲を持つデバイス間の色域写像を簡易に実現するともに、階調変化の反転のない良好な色再現を可能とする。【解決手段】  プリンタ色域４０２の斜線で示す部分を削除する。所定の彩度変換曲線が示す彩度の値より大きい部分を減じて曲線が示す彩度の値とする処理行う。これにより、モニターの色域４０１が削除の分だけ彩度が小さくなる変形をし、色域４０１上の点Ｌは点Ｌ´´に写像される。その結果、プリンタ色域４０２において点Ｇ´から点Ｌ´´にかけて、モニター色域４０１の点Ｇから点Ｌにかけてと同じように色相角方向において彩度が減少し、圧縮写像による彩度変化の反転を生じないようにすることができる。【選択図】  図５
2006340105.tif 000002
【特許請求の範囲】
【請求項１】
第１の色域の色信号を第２の色域の色信号への変換であって、当該第１色域から第２色域への圧縮写像を含む写像関係に基づいて変換するための画像処理方法であって、
前記第２の色域の一部は、該一部が前記写像関係による圧縮写像によって前記第１の色域と対応する部分と同傾向の階調変化をするように削除されていることを特徴とする画像処理方法。
【請求項２】
前記第２の色域は、前記写像関係による圧縮写像によって前記第１の色域の特定の色が前記第２の色域の前記特定の色に対応する色に写像されるように変形されていることを特徴とする請求項１に記載の画像処理方法。
【請求項３】
前記第１の色域は、前記第２の色域の変形と同じ変形がなされたことを特徴とする請求項２に記載の画像処理方法。
【請求項４】
前記削除は、前記第１の色域の所定の色相について前記第２の色域の最大彩度値を取得する工程と、該取得した色相の最大彩度値に基づいて総ての色相角に対する最大彩度変換関係を設定する工程と、前記第２の色域の色のうち、前記最大彩度変換が示す最大彩度値を超える色の彩度を当該記最大彩度値に変換する工程と、を有した処理によって行われることを特徴とする請求項１ないし３のいずれかに記載の画像処理方法。
【請求項５】
前記変形は、前記第１の色域の最外郭部の色の明度を示す点と、該色域の無彩色軸上の特定の色を示す点とを結ぶライン上に、前記第２の色域の最外郭部の色の明度が示す点が乗るように明度変換関係を設定し、該明度変換関係によって行うことを特徴とする請求項２ないし４のいずれかに記載の画像処理方法。
【請求項６】
第１の色域の色信号を第２の色域の色信号への変換であって、当該第１色域から第２色域への圧縮写像を含む写像関係に基づいて変換するための画像処理方法であって、
前記第２の色域は、前記写像関係の圧縮写像によって前記第１の色域の特定の色相の色がその色相に所定量の色相角離れた色に写像されるように変形されていることを特徴とする画像処理方法。
【請求項７】
前記変形は、前記所定量の色相角が０度であることを特徴とする請求項６に記載の画像処理方法。
【請求項８】
前記変形は、前記所定量の色相角が０度でない所定量であることを特徴とする請求項６に記載の画像処理方法。
【請求項９】
第１の色域の色信号を第２の色域の色信号への変換であって、当該第１色域から第２色域への圧縮写像を含む写像関係に基づく変換に用いるプロファイルのプロファイル作成方法であって、
前記第２の色域の一部を、該一部が前記写像関係による圧縮写像によって前記第１の色域と対応する部分と同傾向の階調変化をするように削除する工程
を有したことを特徴とするプロファイル作成方法。
【請求項１０】
前記第２の色域を、前記写像関係による圧縮写像によって前記第１の色域の特定の色が前記第２の色域の前記特定の色に対応する色に写像されるように変形する工程
をさらに有したことを特徴とする請求項９に記載のプロファイル作成方法。
【請求項１１】
前記第１の色域に対し、前記第２の色域の変形と同じ変形をなす工程
をさらに有したことを特徴とする請求項１０に記載のプロファイル作成方法。
【請求項１２】
前記削除する工程は、前記第１の色域の所定の色相について前記第２の色域の最大彩度値を取得する工程と、該取得した色相の最大彩度値に基づいて総ての色相角に対する最大彩度変換関係を設定する工程と、前記第２の色域の色のうち、前記最大彩度変換が示す最大彩度値を超える色の彩度を当該記最大彩度値に変換する工程と、を有したことを特徴とする請求項９ないし１１のいずれかに記載のプロファイル作成方法。
【請求項１３】
前記変形する工程は、前記第１の色域の最外郭部の色の明度を示す点と、該色域の無彩色軸上の特定の色を示す点とを結ぶライン上に、前記第２の色域の最外郭部の色の明度が示す点が乗るように明度変換関係を設定し、該明度変換関係によって変形を行うことを特徴とする請求項１０ないし１２のいずれかに記載のプロファイル作成方法。
【請求項１４】
第１の色域の色信号を第２の色域の色信号への変換であって、当該第１色域から第２色域への圧縮写像を含む写像関係に基づく変換に用いるプロファイルのプロファイル作成方法であって、
前記第２の色域を、前記写像関係の圧縮写像によって前記第１の色域の特定の色相の色がその色相に所定量の色相角離れた色に写像されるように変形する工程
を有したことを特徴とするプロファイル作成方法。
【請求項１５】
前記変形する工程は、前記所定量の色相角を０度とすることを特徴とする請求項１４に記載のプロファイル作成方法。
【請求項１６】
前記変形する工程は、前記所定量の色相角を０度でない所定量とすることを特徴とする請求項１４に記載のプロファイル作成方法。
【請求項１７】
第１の色域の色信号を第２の色域の色信号への変換であって、当該第１色域から第２色域への圧縮写像を含む写像関係に基づいて変換する画像処理装置であって、
前記第２の色域の一部は、該一部が前記写像関係による圧縮写像によって前記第１の色域と対応する部分と同傾向の階調変化をするように削除されていることを特徴とする画像処理装置。
【請求項１８】
前記第２の色域は、前記写像関係による圧縮写像によって前記第１の色域の特定の色が前記第２の色域の前記特定の色に対応する色に写像されるように変形されていることを特徴とする請求項１７に記載の画像処理装置。
【請求項１９】
コンピュータに、第１の色域の色信号を第２の色域の色信号への変換であって、当該第１色域から第２色域への圧縮写像を含む写像関係に基づいて変換する画像処理装置として機能させるプログラムであって、
前記第２の色域の一部は、該一部が前記写像関係による圧縮写像によって前記第１の色域と対応する部分と同じ階調変化をするように削除されていることを特徴とするプログラム。
【請求項２０】
前記第２の色域は、前記写像関係による圧縮写像によって前記第１の色域の特定の色が前記第２の色域の前記特定の色に対応する色に写像されるように変形されていることを特徴とする請求項１９に記載のプログラム。
【請求項２１】
前記第1の色域の変形は、前記第２の色域に内包する色域に対して適用され、色域外に向かっては次第に変形が抑制されることを特徴とする請求項３に記載の画像処理方法。
【請求項２２】
第一の装置の第１の色域の色信号を圧縮写像することで第二の装置の第２の色域の色信号への変換する画像処理方法であって、
前記第２の色域の一部における階調変化が、前記圧縮写像によって該一部に圧縮される前記第１の色域の対応する部分階調変化と同傾向になるように、前記第２の色域の一部は変形されることを特徴とする画像処理方法。
【発明の詳細な説明】
【技術分野】
【０００１】
本発明は、画像処理方法、プロファイル作成方法および画像処理装置に関し、詳しくは、色変換プロファイルで用いられる色域写像（ガマットマッピング）に関するものである。
【背景技術】
【０００２】
近年、デジタルカメラやイメージスキャナ等のデジタル機器が普及し、デジタル画像を手軽に得ることができるようになって来ている。また、フルカラーハードコピー技術も急速に発展している。特に、インクジェット方式による印刷はその画質が銀塩写真に匹敵するものとなりつつあり、広く用いられるようになって来ている。一方でインターネット等のネットワークが広く普及し、多くのユーザーが様々なデバイスを接続することができる環境にある。そして、このような入出力デバイスが多様である環境では、例えば、ある色再現範囲を持ったモニターのカラー画像信号を色再現範囲がそれより狭いプリンタによってハードコピーする場合のように、色再現範囲が異なるデバイス間においてカラー画像データの入出力が行われる。
【０００３】
これに対し、異なるデバイス間で同じ色の色再現を行う技術として、「カラーマネージメントシステム（以下、単に「ＣＭＳ」とも言う）」が知られている。
【０００４】
図１は、このＣＭＳの一構成の概要を示す図であり、デバイスに依存しない色空間を用いたＣＭＳを示している。例えば、カメラやスキャナのような画像入力デバイスとプリンタやモニターなどの画像出力デバイスを接続する場合、図１に示す構成では、あるデバイスの色信号から出力デバイスの色信号への変換は、それぞれのプロファイル（各デバイスカラーとデバイス独立な色空間を結びつける変換式、もしくは上記変換を予めルックアップテーブル：ＬＵＴとして作成した変換テーブルを記述したもの）によるデバイス独立な色空間（例えば、ＣＩＥ−ＸＹＺ，ＣＩＥ−Ｌ＊ａ＊ｂ＊）を介在させて実現される。このようなシステムは、接続する入、出力デバイスが異なるシステムの交換を容易に行うことができるという利点を有している。
【０００５】
ところで、ＣＭＳにおいて各デバイスで色再現をする際に、あるデバイスで再現可能な色を出力デバイスで再現することができるようにするため、それら入、出力デバイス間の色再現範囲の違いを吸収するガマットマッピングの技術が用いられる。
【０００６】
一般に、デバイスの色域はデバイスごとに異なる。例えば、モニターは、赤（Ｒ）、緑（Ｇ）、青（Ｂ）の３原色の蛍光体の発色により加法混色で色再現を行う。このため、モニターの色域は使用する蛍光体の種類に依存する。一方、プリンタの色域は、使用するインクだけでなく、紙の種類等によっても異なる。
【０００７】
図２は、モニターが持つｓＲＧＢ色空間の色域とインクジェットプリンタの色域との関係を示す図であり、ある色相における明度および彩度の関係を示している。図に示す例のように、プリンタの色域２０２がモニターの色域２０１より小さい場合、モニターの色域の色でプリンタの色域外の色はプリンタでそのまま再現できない。従って、このような場合には、元の画像情報をなるべく保ちつつ、色域外の色を色域内に写像する処理が必要になる。このように、物理的に再現不可能な色を、何らかの処理によって色域内に押し込むことを一般的に「色域圧縮」と呼ぶ。
【０００８】
このような色域圧縮では、一般に、写像元であるモニター色域における最大明度値２０１Ｈや最小明度値２０１Ｌと、写像先であるプリンタ色域における最大明度値２０２Ｈや最小明度値２０２Ｌとは異なる。この場合、写像方法にもよるが、一般には高彩度部では自然な色再現を行うことができる。しかし、低彩度部においては、最大明度値と最小明度値の違いによって、プリンタから出力される画像の低彩度部における階調性の低下を招くことがある。
【０００９】
これに対して、従来、写像先であるプリンタ色域の明度値Ｌ＊ｉｎを、写像元のモニター色域の明度値Ｌ＊ｏｒｉに正規化した明度値（以降、「相対明度」と称す。）Ｌ＊ｓｔｄとして色域圧縮を行う方法が知られている。この相対明度Ｌ＊ｓｔｄは、プリンタの紙白明度Ｌ＊ｗを１００、黒明度Ｌ＊ｂｋを０に正規化した明度値であり、相対明度Ｌ＊ｓｔｄは、以下の式（１）を用いて定義することができる。
Ｌ＊ｓｔｄ＝（Ｌ＊ｉｎ−Ｌ＊ｂｋ）／（Ｌ＊ｗ−Ｌ＊ｂｋ）×１００      （１）
【００１０】
ここで、プリンタの紙白明度Ｌ＊ｗは、プリンタを用いて出力するときに使用する用紙など印刷メディアのメディア自体の明度値である。具体的には、測色器を用いて、メディアの明度値を測定した値である。プリンタの黒明度Ｌ＊ｂｋは、プリンタに入力する画像の信号値が（Ｒ，Ｇ，Ｂ）＝（０，０，０）であるパッチをプリンタで出力し、それを、測色器を用いて測色した結果であるＬ＊ａ＊ｂ＊空間の明度値である。
【００１１】
このように、写像先の色域の明度値を写像される色域の明度値に正規化することにより、低彩度部における階調性の低下を抑制することができる。しかし、このような明度の正規化だけでは、圧縮写像による問題を適切に解決することはできない。
【００１２】
すなわち、圧縮写像には、その写像によって階調のバランスを損なうことがあるという問題もある。図２に示す例のように、プリンタ色域２０２外の点でモニター色域２０１の点（Ｐ１、Ｐ２、・・・）は、１つの点Ｔ（収束点）に向かって圧縮される写像方法では、写像によってモニターの画像における階調のバランスが損なわれることがある。すなわち、図２に示す例では、モニター色域２０１における点Ｐ１から点Ｐ２までの変化に対し、それらが写像されたプリンタ色域２０２の点Ｐ１´から点Ｐ２´までの変化は（それぞれの色域全体に対して）略同じ割合であり、階調のバランスが保たれている。しかし、１つの点に向かう圧縮写像では、モニターとプリンタの色域の関係によっては、写像前後で階調変化の割合が顕著に異なることがある。この場合には、プリンタで出力される画像はモニターで表示される画像と階調性が異なるものとなる。
【００１３】
これに対し、特許文献１には、色相ごとに出力デバイスの色域の最も彩度が高い点を求め、無彩軸上でこの点と同じ明度の点を収束点とすることが記載されている。これによれば、その色相ごとの色域の形状に応じた収束点を定めることができ、上述した階調性のバランスがくずれを抑制することができる。
【００１４】
【特許文献１】特開平９−１６３１７０号公報
【発明の開示】
【発明が解決しようとする課題】
【００１５】
しかしながら、特許文献１に記載のガマットマッピング技術は、彩度変化の反転など階調変化の反転を防ぐことはできないという問題がある。すなわち、図２に示すように、モニター色域２０１では点Ｐ１から点Ｐ２にかけて彩度は減少するのに対し、これらの点が写像された、プリンタ色域２０２の点Ｐ１´から点Ｐ２´にかけて彩度は増加する。このように、１つの点を収束点とする圧縮写像では、本質的に彩度変化など種々の階調変化の反転を生じることは避けられない。
【００１６】
これに対し、１つの点を収束点とする圧縮写像において、彩度反転などの階調変化の反転を生じないように、写像元の色域ごとに色域圧縮の収束点を適切に変更することも考慮できる。しかし、そのための色変換処理が複雑となる問題を新たに派生する。
【００１７】
本発明は、以上の問題を解決するためになされたものであり、その目的とするところは、ガマットマッピングにおいて異なる色再現範囲を持つデバイス間の色域写像を簡易に実現するともに、階調変化の反転のない良好な色再現を可能とする画像処理方法、プロファイル作成方法および画像処理装置を提供することにある。
【課題を解決するための手段】
【００１８】
そのために本発明では、第１の色域の色信号を第２の色域の色信号への変換であって、当該第１色域から第２色域への圧縮写像を含む写像関係に基づいて変換するための画像処理方法であって、前記第２の色域の一部は、該一部が前記写像関係による圧縮写像によって前記第１の色域と対応する部分と同じ階調変化をするように削除されていることを特徴とする。
【００１９】
好ましくは、前記第２の色域は、前記写像関係による圧縮写像によって前記第１の色域の特定の色が前記第２の色域の前記特定の色に対応する色に写像されるように変形されていることを特徴とする。
【００２０】
他の形態では、第１の色域の色信号を第２の色域の色信号への変換であって、当該第１色域から第２色域への圧縮写像を含む写像関係に基づいて変換するための画像処理方法であって、前記第２の色域は、前記写像関係の圧縮写像によって前記第１の色域の特定の色相の色がその色相に所定量の色相角離れた色に写像されるように変形されていることを特徴とする。
【００２１】
好ましくは、前記変形は、前記所定量の色相角が０度である。
【００２２】
また、第１の色域の色信号を第２の色域の色信号への変換であって、当該第１色域から第２色域への圧縮写像を含む写像関係に基づく変換に用いるプロファイルのプロファイル作成方法であって、前記第２の色域の一部を、該一部が前記写像関係による圧縮写像によって前記第１の色域と対応する部分と同じ階調変化をするように削除する工程を有したことを特徴とする。
【００２３】
好ましくは、前記第２の色域を、前記写像関係による圧縮写像によって前記第１の色域の特定の色が前記第２の色域の前記特定の色に対応する色に写像されるように変形する工程をさらに有したことを特徴とする。
【００２４】
他の形態では、第１の色域の色信号を第２の色域の色信号への変換であって、当該第１色域から第２色域への圧縮写像を含む写像関係に基づく変換に用いるプロファイルのプロファイル作成方法であって、前記第２の色域を、前記写像関係の圧縮写像によって前記第１の色域の特定の色相の色がその色相に所定量の色相角離れた色に写像されるように変形する工程を有したことを特徴とする。
【００２５】
好ましくは、前記変形する工程は、前記所定量の色相角を０度とすることを特徴とする。
【００２６】
さらに、第１の色域の色信号を第２の色域の色信号への変換であって、当該第１色域から第２色域への圧縮写像を含む写像関係に基づいて変換する画像処理装置であって、前記第２の色域の一部は、該一部が前記写像関係による圧縮写像によって前記第１の色域と対応する部分と同じ階調変化をするように削除されていることを特徴とする。
【００２７】
好ましくは、前記第２の色域は、前記写像関係による圧縮写像によって前記第１の色域の特定の色が前記第２の色域の前記特定の色に対応する色に写像されるように変形されていることを特徴とする。
【発明の効果】
【００２８】
以上の構成によれば、プリンタなどの第２の色域の一部が、その一部がマッピングの圧縮写像によってモニターなどの第１の色域と対応する部分と同傾向の階調変化をするように削除されているので、例えば、第１の色域における色相角方向の彩度変化や明度方向における彩度変化を、第２の色域の彩度変化と同傾向にすることができる。これにより、圧縮写像による彩度変化など階調変化の反転を抑制することができる。また、第２の色域を、写像関係の圧縮写像によって第１の色域の特定の色が第２の色域の上記特定の色に対応する色に写像されるように変形するので、例えば、両色域の彩度が最大の色が写像によって対応付けられる。これにより、両色域で彩度の変化を同傾向にすることができ、同様に、彩度変化など階調変化の反転を抑制することができる。
【００２９】
この結果、ガマットマッピングにおいて異なる色再現範囲を持つデバイス間の色域写像を簡易に実現できるともに、階調変化の反転のない良好な色再現が可能となる。
【発明を実施するための最良の形態】
【００３０】
以下、図面を参照して本発明の実施形態を詳細に説明する。
【００３１】
図３は、本発明の一実施形態に係る画像処装置を示すブロック図である。
【００３２】
図３に示す構成はＣＭＳの一構成例を示しており、具体的には、画像処理装置２０１が、画像入力装置２０２、画像表示装置２０３および画像出力装置２０４の間の色変換をそれぞれのプロファイルを用いて実行するシステムである。画像入力装置２０２はカメラやスキャナ等の形態で画像を入力する。画像表示装置２０３はモニター等の形態であり、画像を表示する。画像出力装置２０４はプリンタ等の形態であり、画像を印刷出力する。プリンタとしては、例えば、インクジェットプリンタや電子写真方式のプリンタを用いることができる。
【００３３】
画像処理装置２０１は、パーソナルコンピュータの形態であり、次の要素を有して色変換や本発明の実施形態に係るプロファイル作成などの処理を行う。画像入力部２０５は、画像入力装置２０２が入力した画像信号を取り込む。画像表示部２０６は、表示用の画像信号を生成してこれに基づいて画像表示装置２０３の表示を制御する。
【００３４】
カラーマッチング処理部２０７は、それぞれのプロファイル２１０、２１１、２１２を用い、画像入力装置２０２で入力し、画像表示装置２０３で表示し、また、画像出力装置２０４で出力する、それぞれの画像信号についてカラーマッチングを行う。例えば、画像表示装置２０３で表示する画像を画像出力装置２０４で印刷出力する場合、モニタープロファイル２１１とプリンタプロファイル２１２を用いて、画像表示装置２０３で表示する画像信号を色変換して画像出力装置２０４の色域の画像信号を生成する。ここで用いられるプロファイルは、図４以降で後述される、本発明のそれぞれの実施形態で作成されるルックアップテーブル（ＬＵＴ）を用いたものである。
【００３５】
画像処理部２０８は、上記のようにカラーマッチング処理部２０７で得られた画像出力装置２０４の色域の画像信号に対して、画像出力装置２０４で用いるインクなど色材の信号を生成する色分解処理やγ補正処理を行う。画像出力部２０９は、画像処理部２０８で得られた画像信号に基づき画像出力装置２０４に印刷信号を出力する。
【００３６】
また、画像処理装置２０１は、図４以降で後述される、カメラプロファイル２１０、モニタープロファイル２１１、プリンタプロファイル２１２を作成する処理も行う。
【００３７】
以下では、図３に示した構成に基づく、プロファイル作成のいくつかの実施形態を説明する。
【００３８】
（実施形態１）
本発明の第一の実施形態では、「測色的一致（Ｃｏｌｏｒｉｍｅｔｒｉｃ）」の色域圧縮を行う。すなわち、モニター色域からプリンタ色域へ写像を行う場合、モニターの色域の色で、プリンタの色域に含まれる色はそのままの色に忠実に写像する。一方、プリンタの色域の外の色は圧縮写像を行ない、その写像先をプリンタ色域の外郭部（プリンタ色域の境界部分）とする。
【００３９】
図４は、圧縮写像のひとつの問題であって本実施形態によって解決される、色相角方向の彩度変化の反転を説明する図である。モニター色域４０１およびプリンタ色域４０２を、それぞれＬＵＴのグリッド（格子点）に関する色信号として表すことができる。すなわち、モニターの色信号はグリッドを規定する信号であり、プリンタの色信号はその規定されたグリッドに対応する格子点データとしての色信号である。そして、それらの色信号をＣＩＥＬＡＢ色空間の色として、ａ＊ｂ＊座標系で表している。例えば、それぞれの色域を離散的に７２９個のグリッドで表し、これらのグリッド以外の色はグリッドのデータを用いた線形補間によって求めることにより、図４に示す色空間を求めることができる。
【００４０】
図４に示すように、第１の色域としてのモニター色域４０１と第２の色域としてのプリンタ色域４０２の間で、それぞれのプライマリカラー（Ｒ（レッド）、Ｇ（グリーン）、Ｂ（ブルー）、Ｃ（シアン）、Ｍ（マゼンタ）、Ｙ（イエロー））の色相は一般にずれている。いま、グリーン（Ｇ）の色相の色Ｇとその色相からＣの色相方向へ色相角が変換した色Ｌに着目してそれぞれの明度軸方向への圧縮写像を考えると、点（色）Ｇは色域４０２の境界の点Ｇ´に写像され、点（色）Ｌは同じく境界のＬ´に写像される。この場合、図からわかるように、点Ｇから点Ｌにかけての色相角方向の彩度変化が減少するのに対し、点Ｇ´から点Ｌ´にかけての彩度変化が増している。このように、圧縮写像によって、色相角方向で彩度ないし彩度変化の反転を起こすことがある。
【００４１】
このような問題に対し、本発明の第一の実施形態では、第１の処理として、プリンタ色域の「削除」を行う。
【００４２】
図５は、このプリンタ色域の削除を説明する図である。図５に示すように、プリンタ色域４０２の斜線で示す部分を削除する。この削除は、具体的には、図６に示すような、色相に対する彩度変換曲線を所定の明度ごとに規定し、これをプリンタ色域を表している上述のグリッドデータに適用することによって行う。すなわち、図６に示すように、横軸は色域の色相角を示し、Ｒ、Ｙ、Ｇ、Ｃ、Ｂ、Ｍはそれぞれモニター色域のプライマリカラーもしくはその色相を示す。また、縦軸は各色相角におけるプリンタ色域の最大彩度を示す。本実施形態は、これらの各プライマリカラーの最大彩度の点を白丸でプロットし直線で結んだものを彩度変換曲線として規定とする。そして、この彩度変換曲線を上記のようにそれぞれのグリッドデータに適用して、この曲線が示す彩度の値より大きい部分を減じて曲線が示す彩度の値とする処理行う。これにより、図６に示すように各プライマリカラーの最大彩度の点を結んだ線より高い彩度を有した色（たとえば、色相Ｇ−Ｃ間では斜線で示す部分）が削除されることになる。この処理は予め定めた所定の明度ごとに行う。これにより、モニターの色域４０１が削除の分だけ彩度が小さくなる変形をし、色域４０１上の点Ｌは点Ｌ´´に写像される。その結果、プリンタ色域４０２において点Ｇ´から点Ｌ´´にかけて、モニター色域４０１の点Ｇから点Ｌにかけてとほぼ同じ（階調変化が同傾向になる）ように色相角方向において彩度が減少し、圧縮写像による彩度変化の反転を生じないようにすることができる。
【００４３】
なお、上記の例では、各プライマリカラーの色相における最大彩度の点を直線的に結んだ変換定義を示したが、例えば、スプライン曲線などを用いることによってより連続性の高い色域の「削除」を行うことができる。
【００４４】
次に、本実施形態の第２の処理として、プリンタ色域を変形し、プリンタ色域の最大彩度の色（点）をモニターの色域の最大彩度の点の色相と同じ色相の色に移す処理を行う。
【００４５】
図２で説明したように、ある特定の１点に向かって色域圧縮を行うと彩度反転を生じることが多い。これに対して、上述した第１の処理によって、プリンタ色域の彩度が小さくなるような「削除」を行い、図３に示した彩度反転も同時に解消できる場合はある。しかし、本実施形態の第２の処理を行うことにより、上記彩度反転を確実に解消することができる。また、この第２の処理を行うことによって、第１の処理にかかる削除の量を少なくしてプリンタの色域が必要以上に小さくなることを防ぎ、これにより、ガマットマッピングによってプリンタの出力結果の見栄えが悪くなることを防止することもできる。このように、第１の処理に係る削除を、第２の処理にかかる変形との関係でどの程度行うかは、「削除」による見栄えの低下や色相方向の階調変化の違いを、出力される画像において総合的に判断して設定することができる。
【００４６】
図７は、この第２の処理にかかる色域変形を説明する図である。図７に示すように、破線で示すプリンタ色域７０２の最大彩度点Ｓを、圧縮写像の収束点Ｔとモニター色域の最大彩度の点Ｐ１とを結ぶ直線上の点Ｓ´に移すような色域の変形を行う。すなわち、色域７０２を実線で示すプリンタの色域７０３に変形する。これにより、モニターの色域７０１のプリンタ色域内にない色を収束点Ｔに向かって圧縮写像するとき、モニターの最大彩度の色Ｐ１はプリンタの色域７０３の最大彩度の色Ｓ´に写像される。この結果、モニター色域７０１の点Ｐ１から点Ｐ２にかけて彩度が減少するとき、これらが写像された色域７０３上の点Ｓ´からＰ２´にかけて同じように彩度が減少して彩度の反転を生じない。
【００４７】
図８は、以上説明した本実施形態の色域変形を示す図である。図８に示すように、本実施形態では、単純にそれぞれの色の明度を上げる変形を行う。すなわち、プリンタ色域７０２の最大彩度点Ｓの明度Ｌｓまでの範囲の色は、明度Ｌｓが、上記のように定める変形後の色域７０３の最大彩度点Ｓ´の明度Ｌｓ´に変換されるような比較的大きな割合の線形変換を行う。また、明度Ｌｓより高い明度の色はそれより小さい割合の線形変換を行う。この図８に示す変換は、プリンタ色域７０２の境界だけでなくその内部の色に対しても行われることはもちろんである。
【００４８】
なお、この色域の変形は、プリンタの実際の色再現域が変形されることを意味しないことはもちろんである。実際の色再現域は、例えば、インクジェットプリンタの場合、用いるインクや用紙の特性によって定まるものである。このように予め定まっているプリンタの色再現域は、Ｌ＊ａ＊ｂ＊色空間のようなデバイスに依存しない色空間で色域７０２のように表される。そして、この色空間で図８に示したような変換を行うことにより、実際の色再現域は色域７０３に対応付けられる。すなわち、実際の色再現域は、上記色空間における変換関係を介してモニターの色域７０１と上述した圧縮写像の関係を得る。これにより、モニター色域のある点からある点にかけて彩度が減少するとき、これらが写像されたプリンタの実際の色再現域における範囲でも同じように彩度が減少して彩度の反転が生じない。
【００４９】
本実施形態では、好ましくは、上記の「変形」をモニターの色域７０１に対しても適用する。これにより、これら２つの色域の相対的な位置関係を保存する。これによれば、特に、圧縮写像をする必要のない色域の色の相対的な位置関係を保存でき、圧縮の必要がない領域のマッピングの精度を向上することが可能となる。
【００５０】
なお、上記「変形」のモニター色域への適用では、例えば、モニター色域の最外郭部に適用されないことはもちろんである。これは、例えば、モニター色域の最外郭部に向かって、徐々に「変形」の適用をなくすようにすることによって実現できる。具体的には、「変形」の中心点（Ｓ）からの距離などで変形量に重み付けするなどによって実現することができる。
【００５１】
以上説明したように、本実施形態によれば、第１の処理によってプリンタ色域の「削除」を行い、また、第２の処理によってプリンタ色域の「変形」を行い、さらに、モニター色域の一部にもその「変形」を適用することによって、ある特定の点に向かう圧縮写像による、彩度変化などの階調変化の反転を抑制することが可能となる。
【００５２】
なお、上記の説明では、色域変換のためのプロファイルを構成するＬＵＴを作成する場合について説明したが、ＬＵＴを用いずに色域変換を行う場合にも本発明を適用できることはもちろんである。
【００５３】
また、上記の説明では、写像される第１の色域としてｓＲＧＢモニターを例にしたが、本発明はこれに制限されるものではなく、ｓＲＧＢ以外のいかなる色域に対しても適用可能なことはもちろんである。
【００５４】
（実施形態２）
本発明の第二の実施形態は、「階調重視（Ｐｅｒｃｅｐｔｕａｌ）」の圧縮写像を行うガマットマッピングに本発明を適用したものである。
【００５５】
上述した第一の実施形態と異なる点は次の通りである。第一実施形態では「測色的一致」の写像のためにプリンタ色域の総ての色についてプリンタ色域の色がそのまま写像されるものとしたが、本実施形態では、一定の高彩度領域についてモニター色域の高彩度領域を押し込める写像を行う。
【００５６】
具体的には、第一の実施形態で説明したように、「削除」や「変形」を行ったプリンタ色域に対して、例えば、それぞれの色相角で最外殻色域の収束点からの距離８０％までの色域を「測色的一致」の写像を行う領域として設定する。そして、この「測色的一致」の領域を越える残りの２０％の色域に対してモニター色域の色を圧縮写像する。
【００５７】
写像をこのように設定することによって、特定点に向かう圧縮写像を維持しつつ、簡単にかつ階調反転などの生じにくい圧縮写像を実現することができる。
【００５８】
（実施形態３）
本発明の第二の実施形態は、「彩度重視（Ｓａｔｕｒａｔｉｏｎ）」の圧縮写像を行うガマットマッピングに本発明を適用したものである。
【００５９】
第一の実施形態および第二の実施形態では、彩度反転を防止するために、色域の「削除」を実施した。これは、モニターとプリンタ出力の見た目を可能な範囲で一致させる、いわゆるモニターマッチングに対しては好適な方法である。しかし、プリンタの色再現能力を抑制していることにもなる。この点から、本実施形態では、モニターマッチングよりもむしろプリンタの再現能力を可能な限り活かす圧縮写像を行う。すなわち、本実施形態では、色域の「削除」は行わずに色域の「変形」のみを行う。
【００６０】
具体的には、図５において、「削除」の変わりに第２の処理である「変形」を行う。例えば、プリンタ色域４０２のプライマリカラーＧ、Ｃ、Ｂ、Ｍ、Ｒ、Ｙの各色相角をモニター色域４０１のプライマリカラーＧ、Ｃ、Ｂ、Ｍ、Ｒ、Ｙの色相角にそれぞれ一致させるような色相変換を行う。これにより、この色域変形後の圧縮写像では、モニターのプライマリカラーの最大彩度の点はプリンタのプライマリカラーの最大彩度の点に写像される。その結果、色相角方向の彩度変化の反転が生じにくくなるとともに、彩度を維持した写像が可能となる。
【００６１】
さらに、明度方向に対しても、第一の実施形態で説明した明度方向の「変形」を行うこともできる。これにより、特定点に向かう圧縮写像によって、階調変化の反転を生じにくい「彩度重視」の圧縮写像を容易に実現することができる。
【００６２】
なお、上記の説明は「彩度重視」の圧縮写像の１つの圧縮例を示したに過ぎず、この例に制限されないことはもちろんである。
【００６３】
（実施形態４）
第一および第二の実施形態では、第１の処理である色域の「削除」と第２の処理である色域の「変形」によってモニターおよびプリンタの色域を調整することによって、可能な限り相対関係を維持しつつ階調変化の反転のない圧縮写像を可能にしている。また、第三の実施形態では第２の処理である色域の「変形」による圧縮写像を説明した。本実施形態は、これら色域の「削除」および「変形」を組み合わせることによって、より好ましい圧縮写像を行う。
【００６４】
色域圧縮は、再現できない色域を圧縮することによって、本来の色とは別の色に対応付けることである。すなわち、何らかの「誤魔化し」によって、それなりに近い色で人間の目に知覚させることに他ならない。この観点からすると、第一および第二の実施形態は、色相を可能な限り保持した状態で明度および彩度を「誤魔化し」て色域圧縮を行うものである。また、第三の実施形態は、彩度を可能な限り保持した状態で色相および彩度を「誤魔化し」て色域圧縮を行うものである。
【００６５】
色を構成する色相、彩度、明度の３要素について、色を「誤魔化し」て別の色に対応付けるときに、どのようなバランスでこれら３要素を変動させれば最も好ましいかは、人間の知覚特性に依存することが多い。一般に、色相を保持することによって、相当の程度の色域圧縮を実現できる。しかし、この色域圧縮では、彩度が圧縮される分だけ、例えば、青はより青い色相に、赤はより赤い色相に写像する方が、より好しいな色域圧縮を実現できることがある。
【００６６】
本実施形態は、上記バランスを任意にかつ容易に実現する。すなわち、第三の実施形態では、プリンタの色域とモニター色域のプライマリカラーが一致するような「変形」を示したが、この色相変換を必要な量に限定する。例えば、青をよりシアン側に写像するべく、プリンタ色域の青の色相を色相角でマイナス１０度「変形」する。同様に、赤はよりマゼンダ側に写像するべく、マイナス５度「変形」する。
【００６７】
このように、まず色域圧縮の好ましさを加味しながらプリンタ色域の「変形」を行う。もちろん、すでに説明したように、モニター色域のプリンタ色域に含まれる部分は同じ「変形」を適用することによって相対関係を維持する。
【００６８】
さらに、第一および第二の実施形態で説明した、色域の「削除」を行うことによって色域圧縮時の彩度反転を防止する。さらに、モニター色域の最大彩度ラインと所定の明度値を結んだ直線上にプリンタ色域の最大彩度ラインがくるように色域の「変形」を適用する。
【００６９】
以上、説明したように、色域圧縮に伴う「誤魔化し」を考慮した色相に関する「変形」を行った上で、彩度反転が生じないように「削除」を行い、さらに所定の明度値に収束させることを可能にするための「変形」を行うことによって、より好しいな色域圧縮を実現することができる。
【００７０】
（他の実施の形態）
本発明は上述した実施形態の機能を実現するように各種のデバイスを動作させるように該各種デバイスと接続された装置あるいはシステム内のコンピュータに、前記実施形態機能を実現するためのソフトウエアのプログラムコードを供給し、そのシステムあるいは装置のコンピュータ（ＣＰＵあるいはＭＰＵ）を格納されたプログラムにしたがって前記各種デバイスを動作させることによって実施したものも本発明の範疇に含まれる。
【００７１】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭなどを用いることができる。
【００７２】
また、コンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフトなどと共同して前述の実施形態の機能が実現される場合にもかかるプログラムコードは本発明の実施形態に含まれることは言うまでもない。
さらに供給されたプログラムコードが、コンピュータの機能拡張ボードやコンピュータに接続された機能拡張ユニットに備わるメモリに格納された後そのプログラムコードの指示の基づいてその機能拡張ボードや機能格納ユニットに備わるＣＰＵなどが実際の処理の一部または全部を行い、その処理によって前述した実施形態の機能が実現される場合も本発明に含まれることは言うまでもない。
【図面の簡単な説明】
【００７３】
【図１】カラーマネージメントシステムの一構成の概要を示す図である。
【図２】モニターが持つｓＲＧＢ色空間の色域とインクジェットプリンタの色域との関係を示す図である。
【図３】本発明の一実施形態に係る画像処装置を示すブロック図である。
【図４】本発明の実施形態によって解決される、色相角方向の彩度変化の反転を説明する図である。
【図５】本発明の実施形態に係わる、プリンタ色域の削除を説明する図である。
【図６】本発明の実施形態に係わる、色相に対する彩度変換曲線を示す図である。
【図７】本発明の実施形態に係わる色域変形を説明する図である。
【図８】本発明の実施形態に係わる色域変形における明度を上げる処理を説明する図である。
【符号の説明】
【００７４】
２０１    画像処理装置
２０２    画像入力装置
２０３    画像表示装置
２０４    画像出力装置
２０５    画像入力部
２０６    画像表示部
２０７    カラーマッチング処理部
２０８    画像処理部
２０９    画像出力部
２１０    カメラプロファイル
２１１    モニタープロファイル
２１２    プリンタプロファイル
【図１】
2006340105.tif 000003
【図２】
2006340105.tif 000004
【図３】
2006340105.tif 000005
【図４】
2006340105.tif 000006
【図５】
2006340105.tif 000007
【図６】
2006340105.tif 000008
【図７】
2006340105.tif 000009
【図８】
2006340105.tif 000010